(57)【特許請求の範囲】
【請求項１】
構成部品から発生する熱によって香りを発生する香り発生手段が通信時に熱を発生する発熱手段の近傍に配置され、該香り発生手段が通信時にのみ香りを発生させる通信装置であって、
前記発熱手段に接続された状態でなおかつ近傍に配置された整流ダイオードとリード線とで香り発生部材を形成し、該香り発生部材を、アンテナに実装可能なアンテナキャップに組み込んだことを特徴とする通信装置。
【請求項２】
前記香り発生手段は、香料を付着させた多孔質基材であることを特徴とする請求項１に記載の通信装置。
【請求項３】
前記多孔質基材とは、セラミックであることを特徴とする請求項１又は２に記載の通信装置。
【請求項４】
前記多孔質基材とは、アルミナであることを特徴とする請求項１又は２に記載の通信装置。
【請求項５】
前記香り発生手段は、香料を固めた樹脂であることを特徴とする請求項１に記載の通信装置。
【請求項６】
前記香り発生手段は、前記通信装置本体に脱着可能なケース内に、交換可能な状態で収納されることを特徴とする請求項１〜５のいずれかに記載の通信装置。
【請求項７】
前記香り発生手段は、不要な香りの発散を抑止するために、香料の濃度を揮発成分に比較して高く設定したことを特徴とする請求項１〜６のいずれかに記載の通信装置。
【請求項８】
前記発熱手段は、抵抗であることを特徴とする請求項１〜７のいずれかに記載の通信装置。
【請求項９】
前記発熱手段は、ニクロム線であることを特徴とする請求項１〜７のいずれかに記載の通信装置。
【請求項１０】
前記発熱手段と直列にＬＥＤランプを接続し、香りの発散と同時に前記ＬＥＤランプを点灯することを特徴とする請求項１〜９のいずれかに記載の通信装置。
【請求項１１】
請求項１〜１０の通信装置を備える無線通信装置。
【請求項１２】
請求項１〜１０の通信装置を備える携帯電話。
【請求項１３】
構成部品から発生する熱によって香りを発生する香り発生手段が通信時に熱を発生する発熱手段の近傍に配置され、該香り発生手段が通信時にのみ香りを発生させるアクセサリーであって、
前記発熱手段に接続された状態でなおかつ近傍に配置された整流ダイオードとリード線とで形成される香り発生部材を備え、
通信装置のアンテナに実装可能なことを特徴とする通信装置のアクセサリー。
【請求項１４】
前記香り発生手段は、香料を付着させた多孔質基材であることを特徴とする請求項１３に記載の通信装置のアクセサリー。
【請求項１５】
前記香り発生手段は、香料を固めた樹脂であることを特徴とする請求項１３に記載の通信装置のアクセサリー。
【請求項１６】
前記発熱手段は、抵抗であることを特徴とする請求項１３〜１５のいずれかに記載の通信装置のアクセサリー。
【請求項１７】
前記発熱手段は、ニクロム線であることを特徴とする請求項１３〜１５のいずれかに記載の通信装置のアクセサリー。
【請求項１８】
前記発熱手段と直列にＬＥＤランプを接続し、香りの発散と同時に前記ＬＥＤランプを点灯することを特徴とする請求項１３〜１７のいずれかに記載の通信装置のアクセサリー。
【発明の詳細な説明】
【０００１】
【発明の属する技術分野】
本発明は、音声又は他のデータの送受信を行う通信装置に関し、特に香りを発生させることのできる通信装置に属する。
【０００２】
【従来の技術】
従来、携帯電話のような通信装置は、本体に香水のような水分を応用することは難しく香りを付けることは行われていない。したがって、実開平５−７６１５３号，実用新案登録第３０７２２９８号に開示されているように香料をシールに含ませて携帯電話に張り付けたりする方法や、実用新案登録第３０６６６８３号，実用新案登録第３０６２２２７号に開示されるようにストラップに香りを付ける方法が知られている。
【０００３】
【発明が解決しようとする課題】
しかしながら、従来技術には以下に掲げる問題点があった。
実開平５−７６１５３号，実用新案登録第３０７２２９８号に開示されているような、香料をシールに含ませて携帯電話に張り付ける方法や、実用新案登録第３０６６６８３号，実用新案登録第３０６２２２７号に開示されているような、ストラップに香りを付ける方法においては、ユーザーが香りを必要としないときを含め、常時香りが発散されているため、香料がすべて揮発してしまうまでの時間が短く、長く香りを楽しむことができなかった。また、食事中やユーザー自身が香水を付けているとき等、ユーザーが香りを必要としない時も、携帯電話から香りが発生するため、邪魔となる場合があるという問題点があった。
【０００４】
本発明は斯かる問題点を鑑みてなされたものであり、その目的とするところは、通話をする際、ユーザーの好みの香りを必要な時のみ選択して発散させることができるとともに、長期間にわたって香りを維持することができる通信装置を提供する点にある。
【０００５】
【課題を解決するための手段】
本発明は上記課題を解決すべく、以下に掲げる構成とした。
本発明の通信装置は、構成部品から発生する熱によって香りを発生する香り発生手段が通信時に熱を発生する発熱手段の近傍に配置され、該香り発生手段が通信時にのみ香りを発生させる通信装置であって、前記発熱手段に接続された状態でなおかつ近傍に配置された整流ダイオードとリード線とで香り発生部材を形成し、該香り発生部材を、アンテナに実装可能なアンテナキャップに組み込んだことを特徴とする。
また、前記香り発生手段は、香料を付着させた多孔質基材であってもよい。
また、前記多孔質基材とは、セラミックであってもよい。
また、前記多孔質基材とは、アルミナであってもよい。
また、前記香り発生手段は、香料を固めた樹脂であってもよい。
また、前記香り発生手段は、前記通信装置本体に脱着可能なケース内に、交換可能な状態で収納されてもよい。
また、前記香り発生手段は、不要な香りの発散を抑止するために、香料の濃度を揮発成分に比較して高く設定してもよい。
また、前記発熱手段は、抵抗であってもよい。
また、前記発熱手段は、ニクロム線であってもよい。
また、前記発熱手段と直列にＬＥＤランプを接続し、香りの発散と同時に前記ＬＥＤランプを点灯してもよい。
本発明の無線装置は、上記の通信装置を備える。
本発明の携帯電話は、上記の通信装置を備える。
本発明の通信装置のアクセサリーは、構成部品から発生する熱によって香りを発生する香り発生手段が通信時に熱を発生する発熱手段の近傍に配置され、該香り発生手段が通信時にのみ香りを発生させるアクセサリーであって、前記発熱手段に接続された状態でなおかつ近傍に配置された整流ダイオードとリード線とで形成される香り発生部材を備え、通信装置のアンテナに実装可能なことを特徴とする。
また、前記香り発生手段は、香料を付着させた多孔質基材であってもよい。
また、前記香り発生手段は、香料を固めた樹脂であってもよい。
また、前記発熱手段は、抵抗であってもよい。
また、前記発熱手段は、ニクロム線であってもよい。
また、前記発熱手段と直列にＬＥＤランプを接続し、香りの発散と同時に前記ＬＥＤランプを点灯してもよい。
【０００６】
【発明の実施の形態】
本発明の特徴は、電話で通話をする際、快い香りを、長時間にわたって楽しめるとともに、アロマテラピーの効果を利用して、リラックスして通話ができるようにする。また、必要な時のみいつでも好みの香りを選択して発散させることもできる点にある。
【０００７】
以下、本発明の実施の形態を図面に基づいて詳細に説明する。
−第１の実施の形態−
本発明の第１の実施の形態の構成を図１，２，３を用いて説明する。図１は携帯電話の外観を示しており、図１に示すように、本実施の形態に係る通信装置は、携帯電話であり、アンテナ１と、きょう体２と、スピーカ３と、ディスプレー４と、操作部５と、マイク６と、操作部５上に配置されたスイッチ７とを備える。
【０００８】
図２は本発明に係る香り発生装置の構成を示し、各構成要素の制御を行うＣＰＵ（中央演算処理装置）８と、電流制限をする抵抗９と、抵抗１０，１１と、トランジスタ１２，１３（本実施の形態においては、トランジスタ１２はＰＮＰトランジスタであり、トランジスタ１３はＮＰＮトランジスタである）と、送受信回路１４と、音声処理回路１５と、香料を付着させたセラミック（本実施の形態においては香料を付着させたセラミックを使用しているが、その他の多孔質基材でも良く、セラミックの代わりにアルミナを用いても良い。また、多孔質基材の他、香料を固めた樹脂等、香りを発散するものであれば上記に限定しない）であり、音声処理回路１５の近傍に置かれている多孔質基材１６とを備える。
【０００９】
図３は図２の香料を吸着又は付着させた多孔質基材１６をケース１７に入れ、携帯電話に実装した構成図である。
【００１０】
本実施の形態の動作を図２を用いて説明する。トランジスタ１２のコレクタ−エミッタ間は、音声処理回路１５と電流制限回路である抵抗９との間に接続され、トランジスタ１２のベースは他のトランジスタ１３のコレクタ−エミッタ間を介して接地される。トランジスタ１３のベースは、抵抗１０と抵抗１１とに接続され、抵抗１０を介してＣＰＵ８の出力端子に接続される。
【００１１】
音声処理回路１５にはトランジスタ１２及び抵抗９を介してトランジスタ１２がオンのとき電源が供給される。通話を行っていないときは、抵抗１０を介してＣＰＵ８からロウレベルの電圧が出力されるので、トランジスタ１３がオフとなる。トランジスタ１３がオフになると、もう一方のトランジスタ１２もオフとなる。
【００１２】
トランジスタ１２がオフの時、音声処理回路１５には電源が入らず、ＩＣや抵抗などの電子部品で構成される音声処理回路１５は発熱しない。したがって、香料を付着させたセラミックである多孔質基材１６から香りの発散は無く、香りは発生しない。本実施の形態において香料は、暖めないときは香料が発散しないように、揮発分を少なくしたり、香料の濃度を高くしている。
【００１３】
操作部５上のスイッチ７により通話を開始すると、ＣＰＵ８の出力端子から抵抗１０に向けてハイレベルの信号が出力され、トランジスタ１３がオンとなり、トランジスタ１３がオンになると、もう一方のトランジスタ１２がオンとなる。トランジスタ１２がオンの時、音声処理回路１５にはトランジスタ１２及び抵抗９を介して電源が供給される。
【００１４】
音声処理回路１５に電源が供給され、動作を開始すると、発熱し、近傍にある多孔質基材１６からの香りが発散され、香りが発生する。ここで、多孔質基材１６は音声処理回路１５と同じ基板上など、音声処理回路１５の近傍（音声処理回路１５の発熱の影響により香りを発散できる範囲）なら他の場所でも良いが、図３に示すように、本実施の形態においては、多孔質基材１６をケース１７に入れて、きょう体２にカセットとして挿入し、音声処理回路１５の近傍に位置するような形態としている。
【００１５】
上記形態とすれば、香料がすべて発散した場合、ケース１７を交換すれば良い。また、ユーザーが異なった香りを発散させたい場合にも同様にケース１７を交換すれば良い。またユーザーが通話中、香りを発散させたくない場合はケース１７を外しておけば良い。
【００１６】
本実施の形態に係る通信装置は上記の如く構成されているので、以下に掲げる効果を奏する。
携帯電話を使用する際、ユーザーは、快い香りを感じながら操作を行うことができる。また、通話時のみに香りが出るようにすることにより、長期間にわたって香りを楽しむことができる。
【００１７】
また、香料をケースに入れてカセットとして携帯電話に挿入することにより、香料がすべて発散した場合でもカセットを交換することにより違う香料を入れ替えることもできる。また、ユーザーが通話中香りを不要とする時はケースを外しておくことも可能である。
【００１８】
−第２の実施の形態−
本発明の第２の実施の形態の構成を図４を用いて説明する。図４に示すように、本実施の形態に係る通信装置は、各構成要素の制御を行うＣＰＵ（中央演算処理装置）８と、抵抗１８，１９，２０，２１，２２，２３と、トランジスタ２４，２５，２６と、本実施の形態においては抵抗である発熱体２７，２８，２９（本実施の形態においては抵抗であるが、発熱体であればニクロム線等でも良い）と、多孔質基材３０，３１，３２とを備える。多孔質基材３０，３１，３２は香料を付着させたセラミック（本実施の形態においては香料を付着させたセラミックを使用しているが、その他の多孔質基材でも良く、セラミックの代わりにアルミナを用いても良い。また、多孔質基材の他、香料を固めた樹脂等、香りを発散するものであれば上記に限定しない）であり、それぞれ発熱体２７，２８，２９の近傍に置かれている。
【００１９】
図４を用いて第２の実施の形態の動作を説明する。第１の実施の形態においては、通話中１種類の香りを楽しむことの例を述べた。しかし、以下に説明する第２の実施の形態においては、それぞれ異なる香料を付着させたセラミックである多孔質基材３０，３１，３２を携帯電話に実装しておき、通話中の香りをそのときのユーザーの好みや通話相手に応じて切り換えられるものである。
【００２０】
例えば、通話中、香りを楽しみたいとき、通話中、ＣＰＵ８は、抵抗１８，１９に向けてはロウレベル信号を、抵抗２０に向けてはハイレベル信号を出力する。該出力に応じて、トランジスタ２４，２５はオフとなり、発熱体２７，２８には電流が流れず発熱しない。一方、トランジスタ２６はオンとなり、発熱体２９には電流が流れ、発熱体２９が発熱する。その結果、香料を吸着又は付着させたセラミックである多孔質基材３０，３１は温まらず、香りは発散しないが、多孔質基材３２からは香りが発散する。
【００２１】
ＣＰＵ８は、ユーザーによるスイッチ７の入力に応じて抵抗１８，１９，２０のどれか一つに向けてハイレベルを出力し、トランジスタ２４〜２６のいずれかをオンする事によって、各トランジスタのオンにより発熱する発熱体２７〜２９それぞれの近傍に配置された多孔質基材３０〜３２の内の一つを選択して香りを発散させることができる。
【００２２】
上記第２の実施の形態の場合、スイッチ７から操作することにより、通話中ではなくても、ユーザーはＣＰＵ８から抵抗１８，１９，２０のどれか一つに向けてハイレベルを出力することにより、好みの香りを楽しむことができる。もちろん、多孔質基材３０，３１，３２を、第１の実施の形態と同様にケースに入れ、カセットとして携帯電話の発熱体２７，２８，２９の近傍に挿入して使うことも可能である。
【００２３】
上記第２の実施の形態の場合、ユーザーの選択により、朝，昼，夜などの時間帯や場所に応じて、異なる香りを使い分けることもでき、そのときの気分や雰囲気にあった香りにすることもできる。また、携帯電話に登録された通話相手や通話相手の電話番号と連動させることにより、通話相手に応じて所定の香りを発生させることもできる。
【００２４】
−第３の実施の形態−
本発明の第３の実施の形態の構成を図５を用いて説明する。図５に示すように、本実施の形態に係る通信装置は、本発明を携帯電話のアクセサリーに応用した場合を示しており、図５はアクセサリーＡを携帯電話に実装した概観、図６は図５に示したアクセサリーＡの内部構成、図７はアクセサリーＡの内部回路を示す。
【００２５】
図５〜７に示すように、アクセサリーＡは、アンテナ１に実装するきょう体３３と、香料を付着させたセラミック（本実施の形態においては香料を付着させたセラミックを使用しているが、その他の多孔質基材でも良く、セラミックの代わりにアルミナを用いても良い。また、多孔質基材の他、香料を固めた樹脂等、香りを発散するものであれば上記に限定しない）である多孔質基材３４と、本実施の形態においては抵抗である発熱体３５（本実施の形態においては抵抗であるが、発熱体であればニクロム線等でも良い）と、整流ダイオード３６，３７と、アンテナの機能をもつリード線３８とを備える。
【００２６】
図８〜１０は上記第３の実施の形態において、ＬＥＤランプの点灯も同時に行う例を示す。ここで、３９はＬＥＤランプである。
【００２７】
図５〜１０を用いて第３の実施の形態の動作を説明する。図５〜７において、携帯電話のきょう体２が通話中のときに、アンテナ１に図６に示したアンテナとなるリード線３８を近づけると、アンテナ１とリード線３８がアンテナ１から発信される電波によって共振し、整流ダイオード３６、３７の作用によって直流電流が流れ、抵抗である発熱体３５が発熱する。
【００２８】
発熱体３５の発熱によって、香料を付着させたセラミックである多孔質基材３４が温まり、香りが発散する。図５は、本実施の形態のキャップ状のきょう体３３を携帯電話のきょう体２のアンテナ１に実装した状態を示す。
【００２９】
また、図８，９に示すように、抵抗である発熱体３５と直列にＬＥＤランプ３９を接続することにより、香りを発散すると同時にＬＥＤランプ３９を点灯でき、アクセサリーとして楽しいものにすることができる。
【００３０】
なお、本実施の形態においては、本発明は上記に限定されず、本発明を適用する上で好適な形態に適用することができる。
【００３１】
また、上記構成部材の数、位置、形状等は上記各実施の形態に限定されず、本発明を実施する上で好適な数、位置、形状等にすることができる。
【００３２】
なお、各図において、同一構成要素には同一符号を付している。
【００３３】
【発明の効果】
本発明は以上のように構成されているので、通話をする際、ユーザーの好みの香りを必要な時のみ選択して発散させることができるとともに、長期間にわたって香りを維持することができる通信装置が提供されるという効果を奏する。
【図面の簡単な説明】
【図１】本発明、第１の実施の形態の外観を示す平面図である。
【図２】図１に示した第１の実施の形態の香りの発生装置の構成を表す電気回路図である。
【図３】図２に示した音声処理回路と多孔質基材を入れたケースの位置関係を表す図である。
【図４】本発明、第２の実施の形態の構成を著す電気回路図である。
【図５】本発明、第３の実施の形態、第１態様の外観を表す平面図である。
【図６】図５に示したアクセサリーの内部構成を表す図である。
【図７】図６に示したアクセサリーの回路構成を著す電気回路図である。
【図８】本発明、第３の実施の形態、第２態様の外観を表す平面図である。
【図９】図８に示したアクセサリーの内部構成を表す図である。
【図１０】図９に示したアクセサリーの回路構成を著す電気回路図である。
【符号の説明】
Ａ  アクセサリー
１  アンテナ
２  きょう体
３  スピーカ
４  ディスプレー
５  操作部
６  マイク
７  スイッチ
８  ＣＰＵ
９，１０，１１  抵抗
１２，１３  トランジスタ
１４  送受信回路
１５  音声処理回路
１６  多孔質基材
１７  ケース
１８，１９，２０，２１，２２，２３  抵抗
２４，２５，２６  トランジスタ
２７，２８，２９  発熱体
３０，３１，３２  多孔質基材
３３  きょう体
３４  多孔質基材
３５  発熱体
３６，３７  整流ダイオード
３８  リード線
３９  ＬＥＤランプ
【図１】
0004336867.tif 000002
【図２】
0004336867.tif 000003
【図３】
0004336867.tif 000004
【図４】
0004336867.tif 000005
【図５】
0004336867.tif 000006
【図６】
0004336867.tif 000007
【図７】
0004336867.tif 000008
【図８】
0004336867.tif 000009
【図９】
0004336867.tif 000010
【図１０】
0004336867.tif 000011